(57)【要約】【構成】ディスク２６には、患者フォルダ，ＤＩＣＯＭＤＩＲファイルおよびＰＤＦファイルが保存される。患者情報は、テキスト形式でＤＩＣＯＭＤＩＲファイルに収められるとともに、診療情報提供書に記載された上でＰＤＦファイルに収められる。画像サーバ３０には、患者フォルダが保存されるとともに、患者情報がテキスト形式で登録された医用画像データベースが設けられる。ＣＰＵ１４は、ＤＩＣＯＭＤＩＲファイルおよび医用画像データベースの各々から取得した患者情報とＰＤＦファイルから取得した診療情報提供書とをディスプレイ装置２０に表示する。ＣＰＵ１４はさらに、ＤＩＣＯＭファイルの取り込み操作を行うか否かを操作者に確認し、取り込み操作に応答してディスク２６の患者フォルダ内のＤＩＣＯＭファイルを画像サーバ３０の患者フォルダに取り込む。【効果】患者の取り違えが生じる懸念を軽減できる。【選択図】図１
2017130127.tif 000002
【特許請求の範囲】
【請求項１】
第１医療機関で作成された第１患者フォルダ内の医用画像を第２医療機関で作成された第２患者フォルダに取り込む処理を操作者による取り込み操作に応答して実行する医用画像取り込み装置であって、
前記第１患者フォルダに対応する患者および前記第２患者フォルダに対応する患者の各々の属性を第１データ形式で示す第１患者情報を出力する第１出力手段、
前記第１患者フォルダに対応する患者の属性を第２データ形式で示す第２患者情報を前記第１出力手段の処理に関連して出力する第２出力手段、および
前記取り込み操作を行うか否かを前記第２出力手段の処理の後に前記操作者に確認する確認手段を備える、医用画像取り込み装置。
【請求項２】
前記医用画像は患者ＩＤが割り当てられた画像ファイルに収められ、
前記取り込み処理は、前記画像ファイルに割り当てられた患者ＩＤを前記第２医療機関用の患者ＩＤに書き換える書き換え処理、および前記書き換え処理の後に前記画像ファイルを前記第２患者フォルダに転送する転送処理を含む、請求項１記載の医用画像取り込み装置。
【請求項３】
前記第２患者情報は前記第１医療機関が作成した診療情報提供書のスキャン画像に表れた患者情報であり、
前記第２出力手段は前記スキャン画像を出力する、請求項１または２記載の医用画像取り込み装置。
【請求項４】
前記第１患者フォルダは可搬型記録媒体に保存された状態で前記第２医療機関に提供される、請求項１ないし３のいずれかに記載の医用画像取り込み装置。
【請求項５】
前記第１医療機関によって作成された１または２以上の患者フォルダの中から前記第１患者フォルダを選択する第１選択操作を受け付ける第１受け付け手段をさらに備え、
前記第１出力手段は、前記第１患者フォルダを対象とする出力処理を前記第１選択操作に応答して実行する第１出力処理実行手段を含む、請求項１ないし４のいずれかに記載の医用画像取り込み装置。
【請求項６】
前記第２医療機関によって作成された１または２以上の患者フォルダの中から前記第２患者フォルダを選択する第２選択操作を受け付ける第２受け付け手段をさらに備え、
前記第１出力手段は、前記第２患者フォルダを対象とする出力処理を前記第２選択操作に応答して実行する第２出力処理実行手段を含む、請求項１ないし５のいずれかに記載の医用画像取り込み装置。
【請求項７】
第１医療機関で作成された第１患者フォルダ内の医用画像を第２医療機関で作成された第２患者フォルダに取り込む処理を操作者による取り込み操作に応答して実行する医用画像取り込み装置によって実行される医用画像取り込み方法であって、
前記第１患者フォルダに対応する患者および前記第２患者フォルダに対応する患者の各々の属性を第１データ形式で示す第１患者情報を出力する第１出力ステップ、
前記第１患者フォルダに対応する患者の属性を第２データ形式で示す第２患者情報を前記第１出力ステップの処理に関連して出力する第２出力ステップ、および
前記取り込み操作を行うか否かを前記第２出力ステップの処理の後に前記操作者に確認する確認ステップを備える、医用画像取り込み方法。
【請求項８】
第１医療機関で作成された第１患者フォルダ内の医用画像を第２医療機関で作成された第２患者フォルダに取り込む処理を操作者による取り込み操作に応答して実行する医用画像取り込み装置のプロセッサに、
前記第１患者フォルダに対応する患者および前記第２患者フォルダに対応する患者の各々の属性を第１データ形式で示す第１患者情報を出力する第１出力ステップ、
前記第１患者フォルダに対応する患者の属性を第２データ形式で示す第２患者情報を前記第１出力ステップの処理に関連して出力する第２出力ステップ、および
前記取り込み操作を行うか否かを前記第２出力ステップの処理の後に前記操作者に確認する確認ステップを実行させるための、医用画像取り込みプログラム。
【発明の詳細な説明】
【技術分野】
【０００１】
この発明は、医用画像取り込み装置、医用画像取り込み方法および医用画像取り込みプログラムに関し、特に、或る医療機関で作成された患者フォルダ内の医用画像を他の医療機関で作成された患者フォルダに取り込む、医用画像取り込み装置、医用画像取り込み方法および医用画像取り込みプログラムに関する。
【背景技術】
【０００２】
この種の装置の一例が、特許文献１に開示されている。この文献によれば、患者ＩＤが付帯された医用画像データと患者ＩＤを含む患者プロファイル情報とが、病院Ａで作成された可搬媒体に記憶される。
【０００３】
可搬媒体内の患者プロファイル情報が示す患者が登録されている病院Ｂに当該可搬媒体が持ち込まれると、病院Ｂの患者受付装置は、可搬媒体内の患者プロファイル情報に基づいてＩＤ変更指示情報を生成し、生成したＩＤ変更指示情報を画像サーバに送信する。
【０００４】
画像サーバは、患者受付装置から受信したＩＤ変更指示情報に基づいて、可搬媒体内の医用画像データに付帯する患者ＩＤを病院Ｂ固有の患者ＩＤに変更し、変更後の医用画像データを記憶装置に記憶する。これによって、可搬媒体内の医用画像データを病院Ｂの患者に正確に対応付けることができる。
【先行技術文献】
【特許文献】
【０００５】
【特許文献１】特開２００８−２３４３０５号公報
【発明の概要】
【発明が解決しようとする課題】
【０００６】
しかし、特許文献１では、患者ＩＤの変更にあたって医療従事者がＩＤ入力操作を行うことがないため、病院Ｂ側に管理面での不安が残る。その一方、医療従事者のＩＤ入力操作に従って患者ＩＤを変更するようにすると、特許文献１の「発明が解決しようとする課題」の欄において指摘されているように、誤操作によって医用画像データと患者とのミスマッチが生じるおそれがある。
【０００７】
それゆえに、この発明の主たる目的は、或る医療機関で作成された医用画像と他の医療機関の患者との間のマッチング作業を医療従事者の操作に従って実行することを前提として、医療従事者の誤操作によってミスマッチが生じる懸念を軽減することができる、医用画像取り込み装置、医用画像取り込み方法および医用画像取り込みプログラムを提供することである。
【課題を解決するための手段】
【０００８】
この発明に係る医用画像取り込み装置(10：実施例で相当する参照符号。以下同じ)は、第１医療機関で作成された第１患者フォルダ内の医用画像を第２医療機関で作成された第２患者フォルダに取り込む処理を操作者による取り込み操作に応答して実行する医用画像取り込み装置(10)であって、第１患者フォルダに対応する患者および第２患者フォルダに対応する患者の各々の属性を第１データ形式で示す第１患者情報を出力する第１出力手段(S9, S21)、第１患者フォルダに対応する患者の属性を第２データ形式で示す第２患者情報を第１出力手段の処理に関連して出力する第２出力手段(S23)、および取り込み操作を行うか否かを第２出力手段の処理の後に操作者に確認する確認手段(S25)を備える。
【０００９】
好ましくは、医用画像は患者ＩＤが割り当てられた画像ファイルに収められ、取り込み処理は、画像ファイルに割り当てられた患者ＩＤを第２医療機関用の患者ＩＤに書き換える書き換え処理(S33)、および書き換え処理の後に画像ファイルを第２患者フォルダに転送する転送処理(S35)を含む。
【００１０】
好ましくは、第２患者情報は第１医療機関が作成した診療情報提供書のスキャン画像に表れた患者情報であり、第２出力手段はスキャン画像を出力する。
【００１１】
好ましくは、第１患者フォルダは可搬型記録媒体(26)に保存された状態で第２医療機関に提供される。
【００１２】
好ましくは、第１医療機関によって作成された１または２以上の患者フォルダの中から第１患者フォルダを選択する第１選択操作を受け付ける第１受け付け手段(S17)がさらに備えられ、第１出力手段は、第１患者フォルダを対象とする出力処理を第１選択操作に応答して実行する第１出力処理実行手段(S21)を含む。
【００１３】
好ましくは、第２医療機関によって作成された１または２以上の患者フォルダの中から第２患者フォルダを選択する第２選択操作を受け付ける第２受け付け手段(S5, S13)がさらに備えられ、第１出力手段は、第２患者フォルダを対象とする出力処理を第２選択操作に応答して実行する第２出力処理実行手段(S9)を含む。
【００１４】
この発明に係る医用画像取り込み方法は、第１医療機関で作成された第１患者フォルダ内の医用画像を第２医療機関で作成された第２患者フォルダに取り込む処理を操作者による取り込み操作に応答して実行する医用画像取り込み装置(10)によって実行される医用画像取り込み方法であって、第１患者フォルダに対応する患者および第２患者フォルダに対応する患者の各々の属性を第１データ形式で示す第１患者情報を出力する第１出力ステップ(S9, S21)、第１患者フォルダに対応する患者の属性を第２データ形式で示す第２患者情報を第１出力ステップの処理に関連して出力する第２出力ステップ(S23)、および取り込み操作を行うか否かを第２出力ステップの処理の後に操作者に確認する確認ステップ(S25)を備える。
【００１５】
この発明に係る医用画像取り込みプログラムは、第１医療機関で作成された第１患者フォルダ内の医用画像を第２医療機関で作成された第２患者フォルダに取り込む処理を操作者による取り込み操作に応答して実行する医用画像取り込み装置(10)のプロセッサ(14)に、第１患者フォルダに対応する患者および第２患者フォルダに対応する患者の各々の属性を第１データ形式で示す第１患者情報を出力する第１出力ステップ(S9, S21)、第１患者フォルダに対応する患者の属性を第２データ形式で示す第２患者情報を第１出力ステップの処理に関連して出力する第２出力ステップ(S23)、および取り込み操作を行うか否かを第２出力ステップの処理の後に操作者に確認する確認ステップ(S25)を実行させるための、医用画像取り込みプログラムである。
【発明の効果】
【００１６】
医用画像の提供先である第２医療機関で作成された第２患者フォルダの患者属性は、第１患者情報によって示される。これに対して、医用画像の提供元である第１医療機関で作成された第１患者フォルダの患者属性は、第１患者情報および第２患者情報の両方によって示される。取り込み操作を行うか否かを確認する処理は、このような患者情報を出力した上で実行される。
【００１７】
これによって、第１医療機関で作成された医用画像と第２医療機関の患者との間のマッチング作業を進める際に、医療従事者の誤操作によってミスマッチが生じる懸念を軽減することができる。
【００１８】
この発明の上述の目的，その他の目的，特徴および利点は、図面を参照して行う以下の実施例の詳細な説明から一層明らかとなろう。
【図面の簡単な説明】
【００１９】
【図１】この実施例に適用される医療診断支援システムの構成の一例を示すブロック図である。
【図２】ディスクに保存されたディレクトリおよびファイルの階層構造の一例を示す図解図である。
【図３】画像サーバに保存されたディレクトリおよびファイルの階層構造の一例を示す図解図である。
【図４】画像サーバに保存された医用画像データベースの構造の一例を示す図解図である。
【図５】画像サーバに保存された患者フォルダの一覧をディスプレイ装置に表示した状態の一例を示す図解図である。
【図６】いずれかの患者フォルダから取得した患者情報をディスプレイ装置に追加表示した状態の一例を示す図解図である。
【図７】ディスクに保存された患者フォルダの一覧をディスプレイ装置に代替表示した状態の一例を示す図解図である。
【図８】ディスク内の患者フォルダから取得した患者情報および診療情報提供書と患者情報の一致／不一致を確認する子画面とをディスプレイ装置に追加表示した状態の一例を示す図解図である。
【図９】診療情報提供書の一例を示す図解図である。
【図１０】患者情報の一致／不一致を確認する子画面を拡大して示す拡大図である。
【図１１】ディスク内の患者フォルダから取得した患者情報および診療情報提供書と患者情報の一致／不一致を確認する子画面とをディスプレイ装置に追加表示した状態の他の一例を示す図解図である。
【図１２】患者情報の一致／不一致を確認する子画面の代わりに他院への連絡を促す子画面を表示した状態の一例を示す図解図である。
【図１３】他院への連絡を促す子画面を拡大して示す拡大図である。
【図１４】この実施例の医用画像取り込み装置を構成するＣＰＵの動作の一部を示すフロー図である。
【図１５】この実施例の医用画像取り込み装置を構成するＣＰＵの動作の他の一部を示すフロー図である。
【図１６】この実施例の医用画像取り込み装置を構成するＣＰＵの動作のその他の一部を示すフロー図である。
【発明を実施するための形態】
【００２０】
この実施例は、医療機関Ａ（第１医療機関）で作成されたＤＩＣＯＭファイルを医療機関Ｂ（第２医療機関）に提供することを想定しており、医療機関Ｂには図１に示す医療診断システムが設けられる。図１によれば、医療診断システムは、院内ＬＡＮ４０を介して互いに接続された医用画像取り込み装置１０および画像サーバ３０によって構成される。ＤＩＣＯＭファイルは医用画像取り込み装置１０によって取り込まれ、取り込まれたＤＩＣＯＭファイルは画像サーバ３０に保存される。
【００２１】
医用画像取り込み装置１０において、バスＢＳ１には、通信Ｉ／Ｆ１２，ＣＰＵ１４，キーボード／マウス１６，ＨＤＤ１８，ディスプレイ装置２０，ＤＲＡＭ２２，および外部ディスクドライブ２４が接続される。外部ディスクドライブ２４は、可搬型のディスク（可搬型記録媒体）２６にアクセスするためのドライブである。
【００２２】
医療機関Ａの患者（患者名：山田花子）が医療機関Ｂで受診する場合、医療機関Ａは、医療機関Ｂが的確な診断を行えるよう、患者の診断結果をディスク２６に保存するとともに、紙媒体の診療情報提供書を患者に手渡す。ディスク２６および診療情報提供書は、患者によって医療機関Ｂの外来受付に持ち込まれる。外来受付の医療従事者は、診療情報提供書をスキャンしてＰＤＦファイルを作成し、作成したＰＤＦファイルをディスク２６に保存する。ＰＤＦファイルが追加保存されたディスク２６は、放射線受付を経て、医用画像取り込み装置１０を操作する医療従事者に手渡される。
【００２３】
こうして提供されるディスク２６には、図２に示すディレクトリ構造が形成される。図２によれば、ＤＩＣＯＭディレクトリ，ドキュメントディレクトリおよびＤＩＣＯＭＤＩＲファイルがルートディレクトリの下階層に設けられる。患者フォルダは、“山田花子”のフォルダ名を有し、ＤＩＣＯＭディレクトリおよびドキュメントディレクトリの各々の下階層に設けられる。
【００２４】
ＤＩＣＯＭディレクトリの下階層の患者フォルダには、複数のＤＩＣＯＭファイルが設けられる。また、ドキュメントディレクトリの下階層の患者フォルダには、診療情報提供書のＰＤＦファイルが設けられる。
【００２５】
複数のＤＩＣＯＭファイルの各々には、検査部位の医用画像に加えて、テキスト形式で作成された患者情報，検査情報およびシリーズ情報が収められる。患者情報は、患者の属性を示す情報であり、患者ＩＤ，患者名，性別および生年月日を項目として有する。また、検査情報は、検査日時，検査部位，検査装置などを項目として有し、シリーズ情報は、今回の検査によって作成された医用画像の総数や画像番号を項目として有する。
【００２６】
また、診療情報提供書には、各ＤＩＣＯＭファイルに収められた患者情報と同じ患者情報が記載される。ただし、診療情報提供書のスキャン画像はＰＤＦ形式に従うため、患者情報の表現形式はＤＩＣＯＭファイルと診療情報提供書のスキャン画像との間で相違する。
【００２７】
ＤＩＣＯＭＤＩＲファイルには、各ＤＩＣＯＭファイルに収められた患者情報と同じ患者情報や、各ＤＩＣＯＭファイルに収められた検査情報と同じ検査情報が収められる。したがって、ＤＩＣＯＭＤＩＲファイルを参照することで、各ＤＩＣＯＭファイルの概要が判明する。
【００２８】
一方、医療機関Ｂに設けられた画像サーバ３０のストレージＳＴＲ１には、図３に示すディレクトリ構造が形成される。図３によれば、複数の患者フォルダがルートディレクトリの下階層に設けられる。或る患者フォルダは“山田花子”のフォルダであり、他の患者フォルダは“佐藤太郎”のフォルダであり、その他の患者フォルダは“鈴木三郎”のフォルダである。いずれの患者フォルダについても、その下階層にはＤＩＣＯＭディレクトリが設けられ、ＤＩＣＯＭディレクトリの下階層には１または２以上のＤＩＣＯＭファイルが設けられる。
【００２９】
患者フォルダの名称としては、患者ＩＤが採用される。したがって、“山田花子”の患者ＩＤが“１１１１１−２２２２２”であり、“佐藤太郎”の患者ＩＤが“１１１１１−２２２２３”であり、“鈴木三郎”の患者ＩＤが“１１１１１−２２２２４”であれば、“山田花子”の患者フォルダの名称は“１１１１１−２２２２２”とされ、“佐藤太郎”の患者フォルダの名称は“１１１１１−２２２２３”とされ、“鈴木三郎”の患者フォルダの名称は“１１１１１−２２２２４”とされる。
【００３０】
また、画像サーバ３０のストレージＳＴＲ２には、図４に示すようなテーブル構造をなす医用画像データベースが保存される。図４によれば、患者情報，検査情報，シリーズ情報および保管場所情報が患者毎に記述される。このうち、患者情報，検査情報およびシリーズ情報は、対象患者のＤＩＣＯＭファイルから抽出される。また、保管場所情報は、抽出元のＤＩＣＯＭファイルの保管場所を示す。
【００３１】
たとえば、“山田花子”に関する患者情報，検査情報およびシリーズ情報は、“山田花子”の患者フォルダの下階層に設けられたＤＩＣＯＭファイルから抽出される。また、“山田花子”に関する保管場所情報は、“山田花子”の患者フォルダの下階層に設けられたＤＩＣＯＭファイルの保管場所を示す。
【００３２】
ＣＰＵ１４は、ディスク２６に記録されたＤＩＣＯＭファイルを取り込んで画像サーバ３０に保存するべく、図１４〜図１６に示すフロー図に従う処理を実行する。なお、このフロー図に相当するプログラムは、医用画像取り込みプログラムとしてＨＤＤ１８に記憶される。
【００３３】
図１４に示すステップＳ１では、キーボード／マウス１６によってサーバ選択操作が行われたか否かを繰り返し判別する。判別結果がＮＯからＹＥＳに更新されるとステップＳ３に進み、画像サーバ３０のストレージＳＴＲ１に保存された患者フォルダの名称を検出する。ステップＳ３ではまた、検出された名称の一覧を表す一覧画像をＤＲＡＭ２２に展開し、展開された一覧画像の表示をディスプレイ装置２０に命令する。ディスプレイ装置２０は、命令に従って一覧画像をＤＲＡＭ２２から読み出し、読み出された一覧画像を画面の中央に表示する。
【００３４】
この実施例では、“山田花子”，“佐藤太郎”および“鈴木三郎”の３人の患者フォルダがストレージＳＴＲ１に保存される。また、“山田花子”の患者フォルダの名称は“１１１１１−２２２２２”とされ、“佐藤太郎”の患者フォルダの名称は“１１１１１−２２２２３”とされ、“鈴木三郎”の患者フォルダの名称は“１１１１１−２２２２４”とされる。したがって、一覧画像は、図５に示す要領で画面に表示される。
【００３５】
ステップＳ５では、キーボード／マウス１６によってフォルダ選択操作（所望のフォルダ名をクリックする操作）が行われたか否かを繰り返し判別する。判別結果がＮＯからＹＥＳに更新されるとステップＳ７に進み、フォルダ選択操作によって選択された患者フォルダに関連する患者情報をストレージＳＴＲ２に設けられた医用画像データベースから取得する。ステップＳ９では、取得した患者情報を表すキャラクタをＤＲＡＭ２２に展開し、展開されたキャラクタの表示をディスプレイ装置２０に命令する。
【００３６】
ディスプレイ装置２０は、命令に従ってＤＲＡＭ２２からキャラクタを読み出し、読み出されたキャラクタを画面の下段に表示する。フォルダ選択操作によってクリックされたフォルダ名が“１１１１１−２２２２２”であれば、患者情報を表すキャラクタは、図６に示す要領で表示される。これによって、対象患者の名前は“山田花子”であり、対象患者の性別は女性であり、対象患者の生年月日は１９８０年１月１日であることが判明する。
【００３７】
ステップＳ１１では外部ディスクドライブ２４にディスク２６が挿入されたか否かを判別し、ステップＳ１３ではフォルダ選択操作が再度実行されたか否かを判別する。ステップＳ１１の判別結果およびステップＳ１３の判別結果のいずれもがＮＯであればステップＳ１１に戻り、ステップＳ１３の判別結果がＹＥＳであればステップＳ７に戻り、ステップＳ１１の判別結果がＹＥＳであればステップＳ１５に進む。
【００３８】
ステップＳ１５では、ディスク２６に保存された患者フォルダの名称を外部ディスクドライブ２４を通して検出し、検出された名称の一覧を表す一覧画像をＤＲＡＭ２２に展開し、展開された一覧画像の表示をディスプレイ装置２０に命令する。ディスプレイ装置２０は、命令に従って一覧画像をＤＲＡＭ２２から読み出し、読み出された一覧画像を画面の中央に代替表示する。この実施例では、ディスク２６に保存された患者フォルダの名称は“山田花子”である。したがって、一覧画像は、図７に示す要領で画面に表示される。
【００３９】
ステップＳ１７では、キーボード／マウス１６によってフォルダ選択操作（所望のフォルダ名をクリックする操作）が行われたか否かを繰り返し判別する。判別結果がＮＯからＹＥＳに更新されるとステップＳ１９に進み、フォルダ選択操作によって選択された患者フォルダに関連する患者情報および診療情報提供書のスキャン画像を取得する。患者情報はＤＩＣＯＭＤＩＲファイルから取得され、診療情報提供書のスキャン画像はドキュメントディレクトリの下階層に設けられたＰＤＦファイルから取得する。
【００４０】
ステップＳ２１では、取得した患者情報を表すキャラクタをＤＲＡＭ２２に展開し、展開されたキャラクタの並列表示をディスプレイ装置２０に命令する。ディスプレイ装置２０は、命令に従ってＤＲＡＭ２２からキャラクタを読み出し、読み出されたキャラクタを画面の下段に並列表示する。
【００４１】
フォルダ選択操作によって選択された患者フォルダが“山田花子”のフォルダであり、医療機関Ａで“山田花子”に割り当てられた患者ＩＤが“０００００−０００１０”であり、“山田花子”の性別が女性であり、“山田花子”の生年月日が１９８０年１月１日である場合、患者情報を表すキャラクタは、図８に示す要領で表示される。
【００４２】
ステップＳ２３では、ステップＳ１９で取得した診療情報提供書のスキャン画像をＤＲＡＭ２２に展開し、展開されたスキャン画像の多重表示をディスプレイ装置２０に命令する。ディスプレイ装置２０は、命令に従ってＤＲＡＭ２２から診療情報提供書のスキャン画像を読み出し、読み出されたスキャン画像を画面の左上に多重表示する（図８参照）。
【００４３】
ステップＳ２５では、患者情報の一致／不一致を確認する子画面（以下、「確認子画面」と言う。）をＤＲＡＭ２２に展開し、展開した確認子画面の多重表示をディスプレイ装置２０に命令する。ディスプレイ装置２０は、命令に従ってＤＲＡＭ２２から確認子画面を読み出し、読み出された確認子画面を画面の右側に多重表示する（図８参照）。
【００４４】
こうして表示される診療情報提供書のスキャン画像および確認子画面の詳細を図９および図１０にそれぞれ示す。図９によれば、診療情報提供書のスキャン画像には、患者情報（患者ＩＤ，患者名，性別，生年月日）の他に、患者住所，患者連絡先，疾病名，紹介目的，既往歴などが記載される。また、図１０によれば、確認子画面は、“患者情報が一致していますか？”の文字列と、「はい」ボタンおよび「いいえ」ボタンとによって構成される。
【００４５】
確認子画面は、ディスク２６に保存されたＤＩＣＯＭファイルの取り込み操作を行うか否かを確認する画面でもある。したがって、“患者情報が一致していますか？”の文字列は、“ディスクに保存されたＤＩＣＯＭファイルを取り込みますか？”の文字列に代えてもよい。いずれの文字列を表示する場合でも、「はい」ボタンのクリック操作が取り込み操作に相当する。
【００４６】
図１６を参照して、ステップＳ２７ではキーボード／マウス１６によって「はい」ボタンがクリックされたか否かを判別し、ステップＳ２９ではキーボード／マウス１６によって「いいえ」ボタンがクリックされたか否かを判別する。ステップＳ２７の判別結果およびステップＳ２９の判別結果のいずれもがＮＯであればステップＳ２７に戻り、ステップＳ２７の判別結果がＹＥＳであればステップＳ３１に進み、ステップＳ２９の判別結果がＹＥＳであればステップＳ３７に進む。
【００４７】
ステップＳ３１では、ステップＳ１９で取得した診療情報提供書のスキャン画像とステップＳ７で取得した患者情報とが収められたＤＩＣＯＭファイルを作成する。ステップＳ３３では、フォルダ選択操作によって選択された患者フォルダの下階層のＤＩＣＯＭファイルを取得し、取得したＤＩＣＯＭファイル内の患者情報を構成する患者ＩＤを書き換える。
【００４８】
図８に示す表示状態で「はい」ボタンがクリックされた場合、患者ＩＤは“０００００−０００１０”から“１１１１１−２２２２２”に書き換えられる。これによって、同一の患者に対して割り当てられた患者ＩＤの相違が解消される。
【００４９】
ステップＳ３５では、ステップＳ３１で作成されたＤＩＣＯＭファイルおよびステップＳ３３の処理を施されたＤＩＣＯＭファイルの画像サーバ３０への転送を通信Ｉ／Ｆ１２に命令する。ＤＩＣＯＭファイルは、通信Ｉ／Ｆ１２および院内ＬＡＮ４０を経て画像サーバ３０に転送される。ステップＳ３５の処理が完了すると、ステップＳ３に戻る。
【００５０】
画像サーバ３０は、受信したＤＩＣＯＭファイルから患者ＩＤを検出し、検出された患者ＩＤと同じフォルダ名を有する患者フォルダをストレージＳＴＲ１上で特定し、受信したＤＩＣＯＭファイルを特定した患者フォルダの下階層のＤＩＣＯＭディレクトリに保存する。
【００５１】
画像サーバ３０はまた、受信したＤＩＣＯＭファイルから患者情報，検査情報およびシリーズ情報を抽出し、このうち検査情報およびシリーズ情報を医用画像データベースに追加登録する。検査情報およびシリーズ情報は、ＤＩＣＯＭファイルから抽出した患者情報と同じ患者情報に割り当てられる。
【００５２】
画像サーバ３０はさらに、受信したＤＩＣＯＭファイルの保存場所を示す保存場所情報を医用画像データベースに追加登録する。ここでも、保存場所情報は、ＤＩＣＯＭファイルから抽出した患者情報と同じ患者情報に割り当てられる。
【００５３】
確認子画面上の「いいえ」ボタンがクリックされる場合としては、図１１に示すように、診療情報提供書に記載された患者情報が画面の下段に表示された患者情報と一致しない場合が考えられる。このような場合、「いいえ」ボタンのクリック操作に応答してステップＳ３７に進む。
【００５４】
ステップＳ３７では、他院への連絡を促す子画面（以下、「他院連絡子画面」と言う。）を確認子画面に代替表示するべく、他院連絡子画面をＤＲＡＭ２２に展開し、展開した他院連絡子画面の代替表示をディスプレイ装置２０に命令する。この結果、ディスプレイ装置２０の表示は、図１１から図１２に遷移する。
【００５５】
こうして代替表示された他院連絡子画面を図１３に拡大して示す。図１３によれば、他院連絡子画面は、“患者情報が一致していない画像等の取り込みは患者の取り違えの原因となり、誤診につながります。ディスク作成元の病院に連絡してください。”の文字列と、「閉じる」ボタンとによって構成される。
【００５６】
ステップＳ３９ではキーボード／マウス１６によって「閉じる」ボタンがクリックされたか否かを繰り返し判別する。判別結果がＮＯからＹＥＳに更新されると、ステップＳ３に戻る。
【００５７】
以上の説明から分かるように、医用画像取り込み装置１０は、医療機関Ａで作成されてディスク２６に保存された患者フォルダ内のＤＩＣＯＭファイルを医療機関Ｂで作成されて画像サーバ３０に保存された患者フォルダに取り込むための装置である。
【００５８】
ディスク２６には、患者フォルダに加えてＤＩＣＯＭＤＩＲファイルおよびＰＤＦファイルが保存される。ディスク２６内の患者フォルダに関連する患者情報は、テキスト形式でＤＩＣＯＭＤＲファイルに収められるとともに、ＰＤＦ形式の診療情報提供書に記載された上でＰＤＦファイルに収められる。
【００５９】
画像サーバ３０には、患者フォルダの他に医用画像データベースが設けられる。画像サーバ３０内の患者フォルダに関連する患者情報は、テキスト形式で医用画像データベースに登録される。
【００６０】
これを踏まえて、ＣＰＵ１４は、ＤＩＣＯＭＤＩＲファイルから取得した患者情報と医用画像データベースから取得した患者情報とをディスプレイ装置２０に表示し(S9, S21)、ＰＤＦファイルから取得した診療情報提供書のスキャン画像をディスプレイ装置２０に表示する(S23)。ＣＰＵ１４はさらに、ディスク２６内のＤＩＣＯＭファイルの取り込み操作を行うか否かを操作者に確認し(S25)、取り込み操作に応答してＤＩＣＯＭファイルの取り込み処理を実行する(S33, S35)。
【００６１】
医用画像の提供先である医療機関Ｂで作成された患者フォルダの患者属性は、テキスト形式の患者情報によって示される。これに対して、医用画像の提供元である医療機関Ａで作成された患者フォルダの患者属性は、テキスト形式およびＰＤＦ形式の患者情報によって示される。取り込み操作を行うか否かを確認する処理は、このような患者情報を表示した上で実行される。
【００６２】
これによって、医療機関Ａで作成されたＤＩＣＯＭファイルと医療機関Ｂの患者との間のマッチング作業を進める際に、医療従事者の誤操作によってミスマッチが生じ、ひいては医療機関Ｂにおいて誤診が引き起こされる懸念を軽減することができる。
【００６３】
なお、この実施例では、医療機関Ａで作成された診療情報提供書は、紙媒体の形で医療機関Ｂに持ち込まれ、医療機関ＢにおいてＰＤＦファイルに変換される。しかし、診療情報提供書は、医療機関ＡにおいてＰＤＦファイルに変換するようにしてもよい。この場合、ＰＤＦファイルは医療機関Ａによってディスク２６に保存される。
【００６４】
また、この実施例では、診療情報提供書のＰＤＦファイルは、ディスク２６に追加保存される。しかし、ＰＤＦファイルは、医療機関Ｂの画像サーバ３０に保存するようにしてもよい。この場合、ストレージＳＴＲ１内の該当する患者フォルダの下階層にＤＩＣＯＭファイルと並列してドキュメントディレクトリが設けられ、当該ドキュメントディレクトリの下階層にＰＤＦファイルが保存される。
【００６５】
いずれの場合も、診療情報提供書をＰＤＦファイルに変換してディスク２６に保存する作業は手作業であり、ＰＤＦファイルを別の患者のディスク２６に保存したり、ストレージＳＴＲ１内の別の患者フォルダの下階層に保存したりすると、診療情報提供書とＤＩＣＯＭファイルとの間でミスマッチが生じる。上述の実施例は、このようなＰＤＦファイルの保存先の間違いに起因して医療機関Ｂで誤診が生じる懸念も軽減することができる。
【符号の説明】
【００６６】
１０  …医用画像取り込み装置
１４  …ＣＰＵ
１６  …キーボード／マウス
２０  …ディスプレイ装置
２２  …ＤＲＡＭ
２４  …外部ディスクドライブ
２６  …ディスク
３０  …画像サーバ
４０  …院内ＬＡＮ
【図１】
2017130127.tif 000003
【図２】
2017130127.tif 000004
【図３】
2017130127.tif 000005
【図４】
2017130127.tif 000006
【図５】
2017130127.tif 000007
【図６】
2017130127.tif 000008
【図７】
2017130127.tif 000009
【図８】
2017130127.tif 000010
【図９】
2017130127.tif 000011
【図１０】
2017130127.tif 000012
【図１１】
2017130127.tif 000013
【図１２】
2017130127.tif 000014
【図１３】
2017130127.tif 000015
【図１４】
2017130127.tif 000016
【図１５】
2017130127.tif 000017
【図１６】
2017130127.tif 000018